(57)【要約】【課題】  本発明は、豪雪地方における屋根にかかる積雪の重量が、降った直後と時間が経って固まった後では全く異なることから、屋根に取付ける雪止めの取付具の構造をそれに十分耐え得るものとすることを目的とする。【解決手段】  本発明は、本体部１と取付板部２とから成る全体のうちの本体部が三角立方体または羽根板体に成る取付具において、前記取付板部材の水平板部１４の中央部分を左右外方に拡大して拡張部１５を形成し、さらにこの中央拡張部を扁平状に曲折部１６を形成して成るものである。【選択図】    図２
2010059768.tif 000002
【特許請求の範囲】
【請求項１】
本体部と取付板部とから成る全体のうちの本体形状が三角立方体に成り、この本体部の底面部は後側方の前記取付板部に延長形成して成る取付具を設け、前記取付板部の水平部にその中央部分が左右外側方に拡大した拡張部を形成して成ることを特徴とする屋根用雪止め取付具。
【請求項２】
本体部と取付板部とから成る全体のうちの本体部形状が羽根板体に成り、この本体部の後側底面部は前記取付板部に延長形成して成る取付具を設け、前記取付板部の水平部にその中央部分が左右外側方に拡大した拡張部を形成して成ることを特徴とする屋根用雪止め取付具。
【請求項３】
本体部と取付板部とから成る全体のうちの三角立方体から成る本体部材とその後側方に位置する取付板部材とを分離した取付具を設け、前記取付板部材の水平部にその中央部分が左右外側方に拡大した拡張部を形成して成ることを特徴とする屋根用雪止め取付具。
【請求項４】
本体部と取付板部とから成る全体のうちの羽根板材から成る本体部材とその後側方に位置する取付板部材とを分離した取付具を設け、前記取付板部材の水平部にその中央部分が左右外側方に拡大した拡張部を形成して成ることを特徴とする屋根用雪止め取付具。
【請求項５】
本体部と取付板部とから成る全体のうちのＬ形部を形成した本体部材とこの本体部材に前端部を固着した後方取付板部材を設け、前記取付板部材の水平部にその中央部分が左右外側方に拡大した拡張部を形成して成ることを特徴とする屋根用雪止め取付具。
【請求項６】
本体部と取付板部とから成る全体のうちの本体形状が三角立方体に成り、この本体部の底面部は後側方の前記取付板部に延長形成して成る取付具を設け、前記取付板部の水平部にその中央部分が左右外側方に拡大した拡張部を形成するとともにこの中央拡張部は扁平状に曲折部を形成して成ることを特徴とする屋根用雪止め取付具。
【請求項７】
本体部と取付板部とから成る全体のうちの本体部形状が羽根板体に成り、この本体部の後側底面部は前記取付板部に延長形成して成る取付具を設け、前記取付板部の水平部にその中央部分が左右外側方に拡大した拡張部を形成するとともにこの中央拡張部は扁平状に曲折部を形成して成ることを特徴とする屋根用雪止め取付具。
【請求項８】
本体部と取付板部とから成る全体のうちの三角立方体から成る本体部材とその後側方に位置する取付板部材とを分離した取付具を設け、前記取付板部材の水平部にその中央部分が左右外側方に拡大した拡張部を形成するとともにこの中央拡張部は扁平状に曲折部を形成して成ることを特徴とする屋根用雪止め取付具。
【請求項９】
本体部と取付板部とから成る全体のうちの羽根板材から成る本体部材とその後側方に位置する取付板部材とを分離した取付具を設け、前記取付板部材の水平部にその中央部分が左右外側方に拡大した拡張部を形成するとともにこの中央拡張部は扁平状に曲折部を形成して成ることを特徴とする屋根用雪止め取付具。
【請求項１０】
本体部と取付板部とから成る全体のうちのＬ形部を形成した本体部材とこの本体部材に前端部を固着した後方取付板部材を設け、前記取付板部材の水平部にその中央部分が左右外側方に拡大した拡張部を形成するとともにこの中央拡張部は扁平状に曲折部を形成して成ることを特徴とする屋根用雪止め取付具。
【発明の詳細な説明】
【技術分野】
【０００１】
本発明は、横葺屋根用の雪止め取付具に関するものである。
【背景技術】
【０００２】
冬期間の積雪量は地域によって異なるけれども、屋根にかかる積雪の重量は、次のような重さになることは一般に知られている。
【表１】
2010059768.tif 000003
【０００３】
このデータから判るとおり、豪雪地方では時間が経って固まった雪の重さは建物の屋根にとっては極めて深刻な問題である。
【０００４】
そのような豪雪地方において施工する横葺屋根用の雪止め取付具の構造は、前記積雪の重量に十分耐え得るものにすることが要求されている。
【０００５】
従来、公知のこの種の雪止具としては、例えば次のようなものが存するが、前記のような積雪の重量に耐えられるかどうか、取付具全体の強度については解明されていないため、疑問であった。
【０００６】
【特許文献１】実開平６−７１６８１号公報
【特許文献２】登録実用新案第３０４００７９号公報
【発明の開示】
【発明が解決しようとする課題】
【０００７】
そこで、本発明は、前記のような積雪時の屋根にかかる重量に十分に耐え得る雪止め取付具を提供することを目的とするものである。
【課題を解決するための手段】
【０００８】
本発明は、本体部と取付板部とから成る全体のうちの本体部形状が三角立方体又は羽根板体に成り、前記本体部の底面部は後側方の前記取付板部に延長形成して成る取付具において、前記取付板部の水平部にその中央部分が左右外側方に拡大した拡張部を形成して成る。
【０００９】
また、本体部と取付板部とから成る全体のうちの三角立方体又は羽根板体から成る本体部とその後側方に位置する取付板部とを分離式にした取付具において、前記取付板部の水平部にその中央部分が左右外側方に拡大した拡張部を形成して成る。
【００１０】
また、本体部と取付板部とから成る全体のうちのＬ形部を形成した本体部とこの本体部に前端部を固着した後方取付板部を設け、前記取付板部の水平部にその中央部分が左右外側方に拡大した拡張部を形成して成る。
【００１１】
さらに、前記取付板部の水平部の中央部分に形成した拡張部においては、扁平状に曲折部を形成して成る。
【発明の効果】
【００１２】
本発明にあっては、長尺の雪止め用Ｌ形材を嵌挿するための三角立方体の本体部の底面部，前方傾斜面部及び後方垂直面部において、積雪による重量に耐え得るだけの補強部が形成されているから、降雪直後のみならず時間が経過して固まった後に起る雪の重量に対しても、十分耐久力を保持した取付具となっている。
【００１３】
特に、取付板部の水平部の中央部分は左右外側方に拡大して拡張部を形成し擬似マンタ形状に成るものであるから、取付板部は屋根上の積雪による重量に対し十分な強度を発揮することができることになる。
【００１４】
この擬似マンタ形状に成る中央拡張部は、さらに扁平状に曲折形成することによって、取付板部の強度をより強靭とし、取付具全体の安全性と安定性を増大することになる。
【００１５】
また、前記取付板部の水平板部における擬似マンタ形状の拡張部は、本体部が羽根板体に成る雪止め具の場合にあっても、同様の良効果を発揮することができる。
【発明を実施するための最良の形態】
【００１６】
所定の横葺屋根において長尺の雪止め用Ｌ形材を取付けるときは、Ｌ形材を嵌挿する三角立方体の本体部と一体になる取付板部を予め屋根板上に適当間隔をもって多数設置した後に、Ｌ形材を横方向に嵌挿して架設することになる。
【００１７】
また、本体部と取付板部とを予め分離しておく別体型の取付具にあっては、屋根の状態を見て施工するのであり、まず屋根板上に取付板部材を固着し、しかる後に本体部材の被取付部の異径孔の大径挿入部に、相対する取付板部材の取付部上の鋲子を挿入した後、本体部材を前方向に引っ張り、異径孔の小径掛止部に鋲子の軸部を掛合することにより両部材を固定する。この両部材の取付け後の状態は、前記一体型の取付具の構成態様と同一となる。
【実施例１】
【００１８】
まず実施例１について説明する。
【００１９】
本取付具の部材は、長尺のＬ形材を嵌挿する三角立方体に成る本体部１とこの本体部を屋根板に固定する取付板部２とから成り、この本体部１と取付板部２とは１枚の板金材にて一体に曲折構成する。
【００２０】
３は前記本体部１の三角立方体のうちの底面部で、この底面部はその中央部分を浮上せしめた突出部４を形成するとともに後側方の前記取付板部２に一体に延長して成る。
【００２１】
５・・は前記底面部３に適当間隔をおいて形成した補強用凸部である。この凸部５・・は、前記突出部４及び後記取付板部２の水平板部１４の一部にも及んで形成する。
【００２２】
６は前記本体部１の三角立方体のうちの前方傾斜面部で、この前方傾斜面部には適当間隔をおいて補強用凸部７・・を形成する。
【００２３】
８，８は前記傾斜面部６の左右両側端部に弯形状に形成して立設した曲折部で、これは補強用となる。
【００２４】
９は前記本体部１の前方傾斜面部６から一体に続く後方垂直面部で、この後方垂直面部にも適当間隔をおいて補強用凸部１０・・を形成する。この凸部１０は、後記水平面部１２に及んで形成する。
【００２５】
１１，１１は前記後方垂直面部９の左右両端部に弯形状に形成して立設した曲折部で、補強用となる。
【００２６】
１２は前記後方垂直面部９の下端部を後側方に水平状に曲折した水平面部で、この水平面部は前記本体部の底面部３の突出部４に固着１３，１３する。
【００２７】
１４は前記本体部１と一体に成る前記取付板部２の水平板部で、この水平板部は前記本体１の底面部３を延長して形成する。
【００２８】
前記取付板部２の水平板部１４の中央部分は、左右外側方に拡大した拡張部１５を形成した擬似マンタ形状に成り、この取付板部２の水平板部１４の中央部分をこのような形状にしたことが、本発明の特徴である。
【００２９】
１６は前記取付板部の水平板部１４の中央拡張部１５の中間部に扁平状に形成した曲折部で、このような擬似マンタ形状に成る中央拡張部１５にさらに曲折部を形成することによってより大きい強度を発揮させるものである。
【実施例２】
【００３０】
次に、実施例２について説明する。（図７・図８）
【００３１】
１７は実施例１の本体部１に代わり構成する取付部材で、後側傾斜面部と正面垂直部と底面支持部から成るこの取付部材１７は全体を一体に固着１３し、前記正面垂直部には横方向に任意形状に成る羽根板１８を設置する。
【００３２】
１８’は前記羽根板１８の底面部を示す。
【００３３】
１９は前記取付部材１７の傾斜面部の中央部に凸出形成した補強部である。
【００３４】
前記取付部材１７の後側傾斜面部は、後側方に水平板部１４を形成する取付板部２と一体に成り、この取付板部材の構成は前記実施例１の取付板部２と同じである。
【００３５】
即ち、前記水平板部１４の中央部分は、左右外側方に拡大した拡張部１５を形成した擬似マンタ形状に成るとともに、この中央拡張部１５はさらに扁平状に曲折部１６を形成する。
【実施例３】
【００３６】
さらに、実施例３について説明する。（図９〜図１２）
【００３７】
この実施例３は、実施例１，２の構成態様が、雪止め具を取付ける本体部とこれを屋根板に固定する取付板部とが、本体部の底面部が後側方に延長して取付板部を形成する一体型に成るのに対し、本体部１と取付板部２とが分離した別部材体に成るものである。
【００３８】
２０は前記本体部１の底面部３の後端部より後側方に延長隆起して成る被取付部で、この被取付部の左右両側部には大径の挿入部と小径の掛止部とから成る異経孔２１，２１を設ける。
【００３９】
２２は取付板部材の水平板部１４の前端部より前側方に延長隆起した取付部で、この取付部の左右両側部には鋲子２３，２３を設ける。この鋲子２３，２３には、前記本体底面部３の異経孔２１，２１の大径挿入部がまず挿入し、しかる後に本体部材を前方に移動し小径掛止部に停止して止着するようにする。
【００４０】
２４は前記取付板部材の前端部に隆起した取付部２２の背後に設置した発条片で、この発条片は前記本体部材の被取付部２０の異経孔２１，２１の小径掛止部に取付部２２の鋲子２３，２３が掛合停止した状態を常時押圧することにより、鋲子と異径孔の掛止部との止着関係が弛緩しないように固定保持する。
【００４１】
前記取付板部材の水平板部１４の中央部分は、左右外側方に拡大した拡張部１５を形成した擬似マンタ形状に成り、この中央拡張部はさらに扁平状に曲折部１６を形成する。
【実施例４】
【００４２】
さらに、実施例４について説明する。（図１３）
【００４３】
これは、Ｌ形材の後入れ式の雪止め取付具である。
【００４４】
２５は長尺のＬ形材を挿入するＬ形部２７，２７を形成した左右両側壁部２６，２６を設けた本体部材で、前記左右両側壁部の底面部には底板部２８，２８を設ける。この両底板部を有する本体部材２５の前側部２９は、その平面部３０と一体に成る。
【００４５】
３１，３１は前記左右両側壁部２６，２６のＬ形部２７，２７の後側部に設けた突出部で、この突出部はＬ形部２７，２７間に挿入するＬ形材のストッパーとなる。
【００４６】
３２は前記本体部材２５の平面部３０からＬ形材の平面部に向って螺装する螺子で、この螺子によってＬ形材を固定する。
【００４７】
３３，３３は前記本体部材２５の左右両底板部２８，２８の左右両端部から突出する突片部で、この突片部は取付板部材２の水平板部１４の左右両側部に固着３４，３４する。
【００４８】
前記取付板部材の水平板部１４の中央部分は、左右外側方に拡大した拡張部１５を形成した擬似マンタ形状に成り、この中央拡張部はさらに扁平状に曲折部１６を形成する。
【実施例５】
【００４９】
前記取付板部２の扁平水平面部１４における拡張部１５の形状については、他例として想定し得るものを図１４（Ａ）〜（Ｉ）において示している。
【００５０】
ところで、本発明はその名称に示すとおり、屋根上における雪止め用の取付具に関するものではあるが、同じく屋根面に設置するソーラーパネルに対しても、本発明と同様構造に成る取付具を応用することができるものである。
【図面の簡単な説明】
【００５１】
【図１】全体の正斜視図
【図２】同上の背斜視図
【図３】同上の正面図
【図４】同上の背面図
【図５】同上の平面図
【図６】図３Ａ−Ａ線断面図
【図７】第２実施例の全体の平面図
【図８】図７Ｂ−Ｂ線の断面図
【図９】第３実施例の全体の組立て前の斜視図
【図１０】同上の平面図
【図１１】同上の組立て後の図１０Ｃ−Ｃ線の断面図
【図１２】図１０の状態の底面図
【図１３】第４実施例の全体の斜視図
【図１４】（Ａ）〜（Ｉ）は本発明要部の各種形状例を示した平面図
【符号の説明】
【００５２】
１                    本体部
２                    取付板部，取付板部材
３                    底面部
４                    突出部
５・・                補強用凸部
６                    前方傾斜面部
７・・                補強用凸部
８，８                曲折部
９                    後方垂直面部
１０・・              補強用凸部
１１，１１            曲折部
１２                  水平面部
１３，１３            固着
１４                  水平板部
１５                  拡張部
１６                  曲折部
１７                  取付部材
１８                  羽根板
１８’                底面部
１９                  補強部
２０                  被取付部
２１，２１            異経孔
２２                  取付部
２３，２３            鋲子
２４                  発条片
２５                  本体部材
２６，２６            左右両側壁部
２７，２７            Ｌ形部
２８，２８            底板部
２９                  前側部
３０                  平面部
３１，３１            突出部
３２                  螺子
３３，３３            突片部
３４，３４            固着
【図１】
2010059768.tif 000004
【図２】
2010059768.tif 000005
【図３】
2010059768.tif 000006
【図４】
2010059768.tif 000007
【図５】
2010059768.tif 000008
【図６】
2010059768.tif 000009
【図７】
2010059768.tif 000010
【図８】
2010059768.tif 000011
【図９】
2010059768.tif 000012
【図１０】
2010059768.tif 000013
【図１１】
2010059768.tif 000014
【図１２】
2010059768.tif 000015
【図１３】
2010059768.tif 000016
【図１４】
2010059768.tif 000017